(57)【特許請求の範囲】
【請求項１】
カメラ本体の裏蓋に搭載され、写込み表示パネルを介してフィルムに撮影データを写し込むデータ写込み装置において、
撮影データを記憶した外部記憶装置であるＲＯＭスティックを交換可能に備え、
前記ＲＯＭスティックには、データ写込み装置用の電源電池が内蔵されていることを特徴とするデータ写込み装置。
【請求項２】
前記外部記憶装置は、前記裏蓋の外部から交換可能に構成されていることを特徴とする請求項１に記載のデータ写込み装置。
【請求項３】
前記写込み表示パネルが、ドットマトリクス液晶パネルで構成されていることを特徴とする請求項１または２に記載のデータ写込み装置。
【請求項４】
前記外部記憶装置の撮影データには、地域固有の表示形態による地域固有の日時データが含まれていることを特徴とする請求項１ないし３のいずれかに記載のデータ写込み装置。
【請求項５】
前記外部記憶装置の撮影データには、日時データに付随してメッセージデータおよび／またはキャラクターデータが含まれていることを特徴とする請求項１ないし４のいずれかに記載のデータ写込み装置。
【請求項６】
請求項１ないし５のいずれかに記載のデータ写込み装置と、
前記データ写込み装置を搭載したカメラ本体と、を備えたことを特徴とするカメラ。
【発明の詳細な説明】
【０００１】
【発明の属する技術分野】
本発明は、撮影されたフィルムに日付けや時刻等の撮影データを写し込むデータ写込み装置およびこれを備えたカメラに関するものである。
【０００２】
【従来の技術】
従来、この種のデータ写込み装置として、例えば特開平５−１５０３３０号公報に記載のカメラに搭載したものが知られている。このカメラでは、カメラ本体の裏蓋に背面側からデータ写込み装置が着脱自在に装着されると共に、データ写込み装置に代えて、データ写込み装置と同一形状のダミー装置が装着可能に構成されている。これにより、カメラ本体を共用して、データ写込み装置を装着した場合には、データ写込み装置付きのカメラとし、ダミー装置が装着した場合には、データ写込み装置なしの通常のカメラとして、カメラ機種を簡単に変更することが可能になっている。
【０００３】
【発明が解決しようとする課題】
ところで、従来のデータ写込み装置では、日付等のデータを変更する場合には、カメラの裏蓋背面に設けたモードスイッチや日付合わせスイッチ等を操作する必要があるため、海外旅行などで時差のある国に頻繁に出かけるユーザーに執っては、旅行の都度日付合わせのための煩雑な操作を強いることになっていた。また、データ写込み装置付きのカメラを購入した場合、このデータ写込み装置に記憶されているデータ以外のデータは写込むことが不可能となる不具合があった。もっとも、これを見越して、多量のデータを記憶しておくことも可能であるが、装置自体が大型且つコスト高になる問題がある。
【０００４】
本発明は、時差に基づく日付合わせの煩雑さ等を回避し、且つ新たなデータの写込みを可能とするデータ写込み装置およびこれを備えたカメラを提供することをその目的としている。
【０００５】
【課題を解決するための手段】
本発明のデータ写込み装置は、カメラ本体の裏蓋に搭載され、写込み表示パネルを介してフィルムに撮影データを写し込むデータ写込み装置において、撮影データを記憶した外部記憶装置であるＲＯＭスティックを交換可能に備え、ＲＯＭスティックには、データ写込み装置用の電源電池が内蔵されていることを特徴とする。
【０００６】
この構成によれば、内容の異なる撮影データを記憶した外部記憶装置を各種用意しておいて、写込み装置本体に対し外部記憶装置を適宜交換することで、写込み装置本体を共有して、異なる撮影データを記憶する機種を構成することができる。
また、外部記憶装置を、簡単に交換することができると共に、取り扱いが容易で且つ安価なものとすることができる。
さらに、写込み用に供給可能な電源を持たないカメラにも、本装置の搭載が可能となる。すなわち、外部記憶装置のみの交換で、電源を持たない安価なカメラにも搭載可能となる。
【０００７】
この場合、外部記憶装置は、裏蓋の外部から交換可能に構成されていることが、好ましい。
【０００８】
この構成によれば、外部記憶装置をカメラ本体から取り外すことなく、その裏蓋に搭載した状態で交換が可能となり、ユーザー自ら、撮影データの変更や追加などを、外部記憶装置の交換により簡単に行うことができる。なお、外部記憶装置の交換構造は、裏蓋を閉塞した状態でその背面側から交換可能とする場合と、裏蓋を開放した状態でその内側から交換可能とする場合とが考えられる。
【０００９】
これらの場合、写込み表示パネルが、ドットマトリクス液晶パネルで構成されていることが、好ましい。
【００１０】
この構成によれば、セグメント方式の液晶パネルと異なり、表示可能なキャラクタの制約が少なく、写込みデータのキャラクタ的バリエーションを格段に増やすことができる。
【００１５】
これらの場合、外部記憶装置の撮影データには、地域固有の表示形態による地域固有の日時データが含まれていることが、好ましい。
【００１６】
この構成によれば、外部記憶装置を交換するだけで、時差を考慮した日時データのもの（機種）に変更することができ、海外旅行等における日時合わせの煩雑さを回避することができる。
【００１７】
これらの場合、外部記憶装置の撮影データには、日時データに付随してメッセージデータおよび／またはキャラクターデータが含まれていることが、好ましい。
【００１８】
この構成によれば、単に日時データだけでなく、これら装飾するキャラクターや簡単なメッセージなども写込み可能なもの（機種）に変更することができる。
【００１９】
また、本発明のカメラは、上記したデータ写込み装置と、データ写込み装置を搭載したカメラ本体とを備えたことを特徴とする。
【００２０】
この構成によれば、カメラ本体に、データ写込み装置の写込み装置本体を組み込んでおくことで、各種写込みデータの異なるカメラ機種を簡単に生産することができると共に、ユーザーをして、写込みデータの内容を好みに応じて簡単に変更することができる。
【００２１】
【発明の実施の形態】
以下、添付の図面を参照して、本発明の一実施形態に係るカメラ用データ写込み装置およびこれを備えたカメラについて説明する。このデータ写込み装置は、カメラ本体の裏蓋に組み込まれ、カメラ本体のフィルムに、日付け、時刻等の写込みデータ（撮影データ）を裏側から写し込むものである。図１はデータ写込み装置を備えたカメラの外観図であり、同図に示すように、このカメラ１は、カメラ本体２と、カメラ本体２の裏蓋３に搭載したデータ写込み装置４とで構成されている。また、データ写込み装置４は、写込み装置本体５と、写込み装置本体５に着脱自在に装着された外部記憶装置であるＲＯＭスティック６とで構成されている。
【００２２】
データ写込み装置４は、裏蓋３のフィルム側に位置する圧板（図示省略）と外殻ケース７との間に収容されているが、外殻ケース７に形成した複数の開口から、後述するモニタ表示パネル１４および日時合わせボタン８が露出すると共に、ＲＯＭスティック６が露出している（詳細は後述する）。また、同図では図示しないが裏蓋３の内側において、圧板に形成した開口から写込み表示パネル１３が、フィルムに臨んでいる。
【００２３】
写込み装置本体４は、図２に示すように、表保護プレート１１ａと裏保護プレート１１ｂとから成るケース体１１の内部に、回路基板１２を挟んで構成されている。表保護プレート１１ａには、突出するように写込み表示パネル１３が設けられ、同様に裏保護プレート１１ｂには、突出するようにモニタ表示パネル１４が設けられている。また、裏保護プレート１１ｂの切欠き部分には、回路基板１２に電気的に接続されるＲＯＭスティック６が、着脱自在に装着されている。
【００２４】
また、回路基板１２の表面には、表保護プレート１１ａにより保護されるようにして、写込み光源となるランプ１５、計時用の水晶発振子１６および制御用のＩＣ１７などが実装されている。また、裏保護プレート１１ｂの切欠き部１８に位置して、カメラ本体２と接続される写込み信号端子１９や、上記の日時合わせボタン８に接触するスイッチ端子（３組）２０などが配設されている。写込み信号端子１９には、カメラ本体２から電力が供給されると共に、カメラ本体２のレリーズ（図１参照）９の押釦が写込みのトリガー信号として入力され、レリーズ９の押釦に同期して写込みデータのフィルムへの写し込みが行われる。
【００２５】
写込み表示パネル１３は、対面するフィルムに日付け、時刻等を写し込む際のマスクを構成するものであり、日付け、時刻等を透明部分で表示し、ランプ１５の照射光（写込み光）を透明させて、フィルムにデータを写し込む。写込み表示パネル１３は、ドットマトリクス液晶パネルで構成された写込み用ＬＣＤ１３ａと、これを保持するＬＣＤホルダ１３ｂとで一体に形成されており、表保護プレート１１ａの表面から突出するように設けられている。
【００２６】
同様に、モニタ表示パネル１４は、ドットマトリクス液晶パネルで構成されたモニタ用ＬＣＤ１４ａと、これを保持するＬＣＤホルダ１４ｂとで一体に形成されており、裏保護プレート１１ｂの表面から突出するように設けられている。そして、モニタ表示パネル１４は、上記の日時合わせボタン８と上下に位置して、裏蓋３の背面側に露出している。なお、データ写込み装置４のコストを削減すべく、モニタ表示パネル１４を省略してもよい。
【００２７】
ＲＯＭスティック６は、裏蓋３の背面に形成した装着開口１０に着脱自在に装着され（図１参照）、装着開口１０に装着された状態で、回路基板１２とコネクタ接続されるようになっている。この場合、ＲＯＭスティック６は、その記憶されている写込みデータ（撮影データ）等により複数種のものが用意されている（詳細は後述する）。
【００２８】
ここで、図３を参照して、制御系について簡単に説明する。制御系の主体を為すＩＣ１７は、写し込み装置本体５内の各部を制御する制御回路３１と、制御回路３１からの指令によりＲＯＭスティック６等の周辺回路とインタフェースを行うインタフェース回路３２と、モニタ用ＬＣＤ１４ａや写込み用ＬＣＤ１３ａを駆動するＬＣＤドライバ３３と、制御回路３１からの指令によりランプ１５を駆動するランプドライブ回路３４と、電池からの電力を各部に分配する電源回路３５と、水晶発振子１６と接続されて基本クロックやその分周信号を生成して各部に分配する発振・分周回路３６と、制御回路３１からの写込みデータをＬＣＤ用にデコードするデコーダ３７とを備えている。
【００２９】
制御回路３１は、図示はしないが、ＣＰＵ、ＲＯＭ、ＲＡＭ等を有する他、計時用カウンタを有し、互いに内部バスにより接続されている。ＲＯＭは、ＣＰＵで処理する制御プログラム、各種モード設定用の制御データ、ＬＣＤ表示用のキャラクタデータ等を記憶している。ＲＡＭは、各種モード設定のフラグ等のために使用される各種レジスタ群の他、前述の写し込みデータ等を取り込んで表示用に処理するなどのための作業エリアとして使用される。
【００３０】
計時カウンタは、年、月、日、時、分、秒等をそれぞれ担当するレジスタ群と、それぞれのアップ／ダウンカウント用のインクリメント／デクリメント回路、およびそれらのセット／リセット信号生成用のデコーダ回路等から成り、全体としていわゆる時計機能を担当するものである。そして、ＣＰＵは、上記の構成により、ＲＯＭ内の制御プログラムや制御データに従って、ＲＡＭ内の各種データや計時カウンタのカウント値を処理し、写込み用データやモニタ用データを作成するなど、データ写込み装置４全体を制御している。
【００３１】
具体的には、例えば前述のＲＯＭスティック６からインタフェース回路３２を介して写込みデータを読み込み、写込み表示パネル１３およびモニタ表示パネル１４に表示するための表示データを作成し、デコーダ３７およびＬＣＤドライバ３３を介してモニタ用ＬＣＤ１４ａや写込み用ＬＣＤ１３ａに出力している。
【００３２】
ところで、各種のＲＯＭスティック６には、例えば、海外仕様として時差を考慮した写込みデータを記憶したものが用意されている。具体的には、アメリカ仕様やヨーロッパ仕様等の複数種類のものが用意されており、アメリカに出張の際には、アメリカ仕様のＲＯＭスティック６を交換装着しておくようにする。これにより、写込み表示パネル１３およびモニタ表示パネル１４には、アメリカ標準時の日時が、その表示習慣に倣った表示形態で表示される。すなわち、ＲＯＭスティック６の交換により、国内仕様のデータ写込み装置４を、ワンタッチで時差および表示形態を考慮した海外仕様のデータ写込み装置４に変更することが可能になる。
【００３３】
また、日時表示と同時に表示されるキャラクターやメッセージを記憶したＲＯＭスティック６を用意しておくことも可能である。具体的には、日時表示の前後などにハートマークを付したり、日時表示の後に「はれ」、「くもり」などの天気状態を示す文字を写し込むものなどが考えられる。これにより、ユニークに写し込みを行うデータ写込み装置４に変更することが可能になる。
【００３４】
さらに、写込み専用の電池を内蔵したＲＯＭスティック６を用意しておくことも可能である。ＲＯＭスティック６にコイン型電池などを内蔵しておくことにより、データ写込み装置４を、電源のないカメラ１にも搭載可能とすることができる。
【００３５】
このように、写込みデータの異なる各種のＲＯＭスティック６を用意しておくことで、写込み装置本体５を共用したまま、データ写込み装置４の機種変更を簡単に行うことができる。しかも、ＲＯＭスティック６を裏蓋３の背面側から簡単に着脱することができるため、カメラ１の製造時のみならず、ユーザー自ら写込みデータ等の変更を簡単に行うことができる。
【００３６】
なお、ＲＯＭスティック６は、カメラ本体２に裏蓋３を開放した状態で、交換可能な構成にしてもよい。かかる場合には、装着開口１０からのカメラ本体２内部への光漏れ等を対策する必要がなくなる。
【００３７】
【発明の効果】
以上のように本発明のカメラ用データ写込み装置およびカメラによれば、内容の異なる撮影データを記憶した外部記憶装置を各種用意しておいて、適宜交換することで、写込み装置本体を共有した状態で、機種変更を簡単に行うことができる。このことはまた、各種写込みデータの異なるカメラ機種を簡単に生産することができると共に、ユーザーをして、各種写込みデータを好みに応じて簡単に変更することができる。したがって、外部記憶装置の交換だけで、時差に基づく日付合わせの煩雑さ等を回避し、且つ新たなデータの写込みが可能になる。
【図面の簡単な説明】
【図１】本発明の実施形態に係るデータ写込み装置を搭載したカメラの外観斜視図である。
【図２】実施形態に係るデータ写込み装置の構造図である。
【図３】実施形態に係るデータ写込み装置のＩＣ回路のブロック図である。
【符号の説明】
１  カメラ
２  カメラ本体
３  裏蓋
４  データ写込み装置
５  写込み装置本体
６  ＲＯＭスティック
１０  装着開口
１３  写込み表示パネル
１４  モニタ表示パネル
【図１】
0003692896.tif 000002
【図２】
0003692896.tif 000003
【図３】
0003692896.tif 000004